【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
香り媒体キャリアを取り外し可能に受容するようなサイズ及び寸法にされたレシーバーであって、前記香り媒体キャリアはそれぞれ、前記各香り媒体キャリア上の複数の規定された空間位置に配置された複数の消費可能な香り媒体を担持する、レシーバーと、
前記香り媒体キャリアが前記レシーバーによって受容されている間に、前記香り媒体キャリアのうち１つによって担持される前記香り媒体のうちの対応するものによる対応する香りの放出を引き起こさせるように選択的に動作可能な香りアクチュエータと、
どの特定の香り媒体がどの特定の前記香り媒体キャリアに担持されているかに関係無く、香り媒体のうちの対応するものを一般的に指定する一般的値の時間的なシーケンスを指定する香り活性化情報の組に少なくとも部分的に応答して前記香りアクチュエータを制御するように、通信可能に連結された制御サブシステムと、
を含む、システム。
【請求項２】
前記香り活性化情報の組は、前記一般的値それぞれについて開始時間及び終了時間又は持続時間のうち少なくとも１つを指定し、前記制御サブシステムは、前記一般的値それぞれについての前記開始時間及び前記終了時間又は持続時間のうち少なくとも１つに少なくとも部分的に応答して前記香りアクチュエータを制御するように、通信可能に連結される、請求項１のシステム。
【請求項３】
前記一般的値は、音楽特性を指定する、請求項１のシステム。
【請求項４】
前記一般的値は、感情状態を指定する、請求項１のシステム。
【請求項５】
前記香り活性化情報の組が遠隔デバイスから受信される際に経由される少なくとも１つの通信ポートをさらに含む、請求項１のシステム。
【請求項６】
前記香り活性化情報の組は、楽器デジタルインターフェースファイルとしてフォーマットされる、請求項１のシステム。
【請求項７】
システムであって、
少なくとも１つのプロセッサと、
プロセッサが実行可能な命令又はデータのうち少なくとも１つを保存する少なくとも１つの非一時的プロセッサ可読媒体であって、前記命令又はデータが実行されると、前記少なくとも１つのプロセッサが、どの特定の香り媒体がどの特定の香り媒体キャリアに担持されているかに関係無く、香り媒体のうちの対応するものを一般的に指定する一般的値の時間的なシーケンスを指定する香り活性化情報の組を、標準的フォーマットで生成するように、ユーザが操作可能なユーザインターフェースに提供する、少なくとも１つの非一時的プロセッサ可読媒体と、
を含む、システム。
【請求項８】
前記香り活性化情報の組は、前記一般的値それぞれについて開始時間及び終了時間又は持続時間のうち少なくとも１つを指定する、請求項７のシステム。
【請求項９】
前記一般的値は、前記各香り媒体キャリア上の前記香り媒体の相対的位置を指定する、請求項７のシステム。
【請求項１０】
前記一般的値は、音楽特性を指定する、請求項７のシステム。
【請求項１１】
前記香り活性化情報の組は、香り送達を少なくとも１つの音楽曲と同期させるための同期情報を指定する、請求項１０のシステム。
【請求項１２】
前記一般的値は、感情状態を指定する、請求項７のシステム。
【請求項１３】
前記香り活性化情報の組を遠隔的に香り送達システムへ提供すること、
をさらに含む、請求項７のシステム。
【請求項１４】
前記香り活性化情報の組は、楽器デジタルインターフェースファイルとしてフォーマットされる、請求項７のシステム。
【請求項１５】
香り経験を香り送達デバイスを介して提供するために用いられる物品であって、
複数の香り媒体の少なくともいくつかのそれぞれについての活性化の持続時間を示す情報を含めて、香りトラックを前記複数の香り媒体の少なくともいくつかのそれぞれについての活性化のシーケンスの形態で指定するプロセッサで実行可能な命令を保存する非一時的プロセッサ可読媒体を含む、物品。
【請求項１６】
前記香りトラックは、前記複数の香り媒体の少なくともいくつかのそれぞれについての開始時間を示す情報を含む、請求項１５の物品。
【請求項１７】
前記香りトラックは、前記複数の香り媒体の少なくともいくつかのそれぞれについての完了時間を示す情報を含む、請求項１６の物品。
【請求項１８】
前記香りトラックは、前記各香り媒体を活性化させるべき開始時間後の期間を示す情報を含む、請求項１６の物品。
【請求項１９】
前記香りトラックは、それぞれの前記開始時間からの差として指定される、前記複数の香り媒体の少なくともいくつかのそれぞれについての完了時間を示す情報を含む、請求項１６の物品。
【請求項２０】
前記香りトラックは、音声的又はビデオ提示の少なくとも１つにおける移行を香りのクラスへ一般的にマッピングする情報を含む、請求項１６の物品。
【請求項２１】
前記香りトラックは、香りのクラスを指定する情報を含み、前記香りのクラスは、特定の香りではなく前記基板上の香り媒体の位置へマッピングされる、請求項１６の物品。
【請求項２２】
前記香りトラックは、特定の香りではなく前記基板上の香り媒体の位置を指定する情報を含む、請求項１６の物品。
【手続補正２】
【補正対象書類名】明細書
【補正対象項目名】０２４５
【補正方法】変更
【補正の内容】
【０２４５】
上記の詳細の記載を鑑みれば、これらの変更及び他の変更が実施形態において可能である。一般的に、以下の特許請求の範囲において、用いられる用語は、特許請求の範囲を本明細書及び特許請求の範囲中に開示された特定の実施形態に制限するものとして解釈されるべきではなく、全ての可能な実施形態及びこのような特許請求の範囲が権利を持つ均等物の全範囲を含むものとして解釈されるべきである。よって、特許請求の範囲は、本開示によって限定されない。
下記は、出願当初に記載の発明である。
＜請求項１＞
携帯可能な香り送達システムであって、
少なくとも使用時において香り媒体を保持する少なくとも香り生成チャンバを有するハウジングと、
前記香り生成チャンバ中の前記香り媒体からの１つ以上の香りの放出を引き起こすように制御可能に動作可能な香りアクチュエータと、
必要な場合に少なくとも１つのエンドユーザ入力に応答して香りを前記香りチャンバから対流を介して選択的に放出するように動作可能な香りポートと、
１つ以上の組の音声及び／又は画像情報も含む遠隔的に生成された香り経験パッケージの一部である１組の香り起動情報に応答して前記香りアクチュエータを制御するように通信可能に連結された制御サブシステムと、
を含む、携帯可能な香り送達システム。
＜請求項２＞
前記香りポートに香りを対流を介して選択的に放出させるように前記少なくとも１つのエンドユーザ入力を提供するように通信可能に連結された、ユーザが起動可能な制御、
をさらに含む、携帯可能な香り送達システム。
＜請求項３＞
前記ユーザが起動可能な制御は、前記ハウジングへ連結される、請求項２の携帯可能な香り送達システム。
＜請求項４＞
前記制御サブシステムは、前記香り起動情報を携帯型の通信デバイス又はメディアコンテンツプレーヤから受信するように通信可能に連結され、前記音声及び／又は画像情報によって指定された音声及び／又は画像と同期して前記香りの放出を引き起こさせる、請求項１の携帯可能な香り送達システム。
＜請求項５＞
前記制御サブシステムは、前記香り起動情報を携帯型の通信デバイス又はメディアコンテンツプレーヤから受信するように通信可能に連結され、前記音声及び／又は画像情報によって指定されかつ前記携帯型の通信デバイス又はメディアコンテンツプレーヤによって提示される音声及び／又は画像と同期して前記香りの放出を引き起こさせる、請求項１の携帯可能な香り送達システム。
＜請求項６＞
前記香りアクチュエータは、１つ以上の香りを高精度に制御された量で高精度に制御された時間に放出するように、制御可能に動作可能である、請求項１の携帯可能な香り送達システム。
＜請求項７＞
前記香りポートは、１つ以上の香りを高精度に制御された量で高精度に制御された時間に放出するように、動作可能である、請求項１の携帯可能な香り送達システム。
＜請求項８＞
前記１組の香り起動情報は、前記１つ以上の組の音声及び／又は画像情報も含む前記遠隔的に生成された香り経験パッケージの一体部分であり、前記遠隔的に生成された香り経験パッケージと共に期限切れになる、請求項１の携帯可能な香り送達システム。
＜請求項９＞
香りを送達するように動作可能なシステムであって、前記システムは、
ハウジングと、
前記ハウジング内に少なくとも部分的に収容されたレシーバーであって、前記レシーバーは、複数の消費可能な香り媒体を担持する香り媒体キャリアを取り外し可能に受容するようなサイズ及び寸法にされる、レシーバーと、
前記レシーバーに少なくとも近接するように配置される少なくとも１つのペルティエデバイスであって、前記少なくとも１つのペルティエデバイスは、前記香り媒体キャリアが前記レシーバーによって受容されている間に前記香り媒体キャリアの前記消費可能な香り媒体を能動的に加熱するかあるいは能動的に冷却するように、選択的に動作可能である、少なくとも１つのペルティエデバイスと、
を含む、システム。
＜請求項１０＞
前記ハウジングは、少なくとも第１の区画、第２の区画及び第３の区画を含み、前記レシーバーは前記第１の区画内に設置され、前記システムは、
少なくとも１つのフィルターであって、前記少なくとも１つのフィルターは、前記第１の区画内に設置された前記レシーバーと別個に前記第２の区画内に設置される、少なくとも１つのフィルターと、
前記第３の区画内に設置された制御サブシステムと、
をさらに含む、請求項９のシステム。
＜請求項１１＞
前記ハウジング内に配置されかつ香りを前記ハウジングの外方に移動させるように選択的に動作可能な第１のファン、
をさらに含む、請求項９のシステム。
＜請求項１２＞
前記ハウジング内に配置されかつ前記ハウジングへ香りを内方に引き戻すように選択的に動作可能な第２のファン、
をさらに含む、請求項１１のシステム。
＜請求項１３＞
前記ハウジングは香り混合チャンバ及びフィルターチャンバを含み、前記フィルターチャンバは、前記香り混合チャンバと別個であり、フィルター媒体を保持するようなサイズ及び寸法にされ、前記システムは、
前記ハウジング内に配置され、前記香り混合チャンバから構成可能な流体連絡可能な導管経路への香りの移動を制御するように選択的に動作可能な第１の弁と、
前記ハウジング内に配置され、前記構成可能な流体連絡可能な導管経路から前記フィルターチャンバへの香りの移動を制御するように選択的に動作可能な第２の弁と、
をさらに含む、請求項１２のシステム。
＜請求項１４＞
香り送達導管であって、前記香りチャンバと、使用時において香りを前記香り送達導管からユーザへ放出する前記香りポートとの間に流体連絡を提供する、香り送達導管、
を少なくともさらに含む、請求項９のシステム。
＜請求項１５＞
少なくとも前記香りポートと前記フィルターチャンバとの間に流体連絡を提供する香り返送導管、
をさらに含む、請求項１４のシステム。
＜請求項１６＞
前記香り送達及び前記香り返送導管はそれぞれ、内径がおよそ１．５ミリメートルの延伸ネオプレン管材のピースである、
請求項１５のシステム。
＜請求項１７＞
前記香り送達及び前記香り返送導管は香り循環ループを形成し、
前記香り循環ループ内の香りポート弁をさらに含み、前記香りポート弁は、前記香りポートを介した香りの移動を制御するように、選択的に動作可能である、
請求項１５のシステム。
＜請求項１８＞
香りポートを有するペンダント、
をさらに含む、請求項９のシステム。
＜請求項１９＞
前記ハウジングから前記香りポートへ走る第１のケーブルをさらに含み、前記第１のケーブルは、前記香りチャンバと、使用時において香りを前記香り送達導管からユーザへ放出する前記香りポートとの間に流体連絡を提供する香り送達導管を少なくとも含む、
請求項１８のシステム。
＜請求項２０＞
前記第１のケーブルは、前記香りポートと前記フィルターチャンバとの間に流体連絡を提供する香り返送導管を少なくともさらに含む、
請求項１９のシステム。
＜請求項２１＞
制御サブシステムと、
携帯型の通信デバイス又はメディアプレーヤと前記システムの前記制御サブシステムとの間で信号を送るように前記携帯型の通信デバイス又は前記メディアプレーヤのうち少なくとも１つへ通信可能に連結可能な第２のケーブルと、
をさらに含む、請求項２０のシステム。
＜請求項２２＞
制御サブシステムと、
音声源と前記システムの前記制御サブシステムとの間で信号を送るように前記音声源へ通信可能に連結可能な第２のケーブルと、
をさらに含む、請求項２０のシステム。
＜請求項２３＞
前記第１のケーブルは、前記携帯型の通信デバイス又は前記メディアプレーヤから信号を前記システムを通じて複数のスピーカーへ送るための複数のワイヤを含む、
請求項２１又は２２のシステム。
＜請求項２４＞
前記ペンダントは、少なくとも第１の部位及び第２の部位を含み、前記第２の部位は、前記第１の部位に対して回転するように前記第１の部位に枢動可能に取り付けられ、
制御サブシステムであって、前記制御サブシステムは、前記少なくとも１つのペルティエデバイスを制御するように通信可能に連結され、前記制御サブシステムは、前記ペンダントの前記第１の部位に対する前記ペンダントの前記第２の部位の方位に対して少なくとも部分的に応答性である、制御サブシステム、
をさらに含む、請求項１０のシステム。
＜請求項２５＞
前記制御サブシステムは、前記ペンダントの前記第１の部位に対する前記ペンダントの前記第２の部位の方位に応答して、少なくとも１つのファンを起動させる、
請求項２４のシステム。
＜請求項２６＞
少なくとも前記ペンダントの一部へのヒトのタッチを感知するタッチセンサーと、
制御サブシステムであって、前記制御サブシステムは、前記少なくとも１つのペルティエデバイスを制御するように通信可能に連結され、前記制御サブシステムは、前記ペンダントへのヒトのタッチに対して少なくとも部分的に応答性である、制御サブシステムと、
をさらに含む、請求項１８のシステム。
＜請求項２７＞
少なくとも前記ペンダントの一部の動きを感知するモーションセンサーと、
制御サブシステムであって、前記制御サブシステムは、前記少なくとも１つのペルティエデバイスを制御するように通信可能に連結され、前記制御サブシステムは、前記ペンダントの動きに対して少なくとも部分的に応答性である、制御サブシステムと、
をさらに含む、請求項１８のシステム。
＜請求項２８＞
制御サブシステムであって、前記制御サブシステムは、前記少なくとも１つのペルティエデバイスを制御するように、通信可能に連結される、制御サブシステム、
をさらに含む、請求項９のシステム。
＜請求項２９＞
制御サブシステムであって、前記制御サブシステムは、前記少なくとも１つのペルティエデバイスを制御するように、通信可能に連結され、前記制御サブシステムは、前記ハウジングの前記少なくとも一部の方位に対して少なくとも部分的に応答性である、制御サブシステム、
をさらに含む、請求項９のシステム。
＜請求項３０＞
前記制御サブシステムは、前記ハウジングの少なくとも一部の方位に応答して少なくとも１つのファンを起動させる、
請求項２９のシステム。
＜請求項３１＞
前記ハウジングの少なくとも一部へのヒトのタッチを感知するタッチセンサーと、
制御サブシステムであって、前記制御サブシステムは、前記少なくとも１つのペルティエデバイスを制御するように通信可能に連結され、前記制御サブシステムは、前記ハウジングの前記少なくとも一部へのヒトのタッチに対して少なくとも部分的に応答性である、制御サブシステムと、
をさらに含む、請求項９のシステム。
＜請求項３２＞
前記ハウジングの少なくとも一部の動きを感知するモーションセンサーと、
制御サブシステムであって、前記制御サブシステムは、前記少なくとも１つのペルティエデバイスを制御するように通信可能に連結され、前記制御サブシステムは、前記ハウジングの前記少なくとも一部の動きに対して少なくとも部分的に応答性である、制御サブシステムと、
をさらに含む、請求項９のシステム。
＜請求項３３＞
制御サブシステムであって、前記制御サブシステムは、前記システムが通信可能に連結された携帯型の通信デバイスのディスプレイ又はメディアプレーヤ上に表示された画像又は情報のうち少なくとも１つに基づいて前記少なくとも１つのペルティエデバイスを制御するように少なくとも部分的に応答性である、制御サブシステム、
をさらに含む、請求項９のシステム。
＜請求項３４＞
制御サブシステムであって、前記制御サブシステムは、前記少なくとも１つのペルティエデバイスを制御するように通信可能に連結され、前記制御サブシステムは、前記システムが通信可能に連結された携帯型の通信デバイスのディスプレイ又はメディアプレーヤ上に表示されたユーザが選択可能なアイコン又は情報のユーザの選択に基づいて前記少なくとも１つのペルティエデバイスを制御するように、少なくとも部分的に応答性である、制御サブシステム、
をさらに含む、請求項９のシステム。
＜請求項３５＞
制御サブシステムであって、前記制御サブシステムは、前記少なくとも１つのペルティエデバイスを制御するように通信可能に連結され、前記制御サブシステムは、前記システムが通信可能に連結された携帯型の通信デバイスの画像センサー又はメディアプレーヤによって取得された画像に基づいて前記少なくとも１つのペルティエデバイスを制御するように、少なくとも部分的に応答性である、制御サブシステム、
をさらに含む、請求項９のシステム。
＜請求項３６＞
それぞれ親油性の香りを有するワックス基板の形態の少なくとも２つの消費可能な香り媒体を担持する前記香り媒体キャリアのうち少なくとも１つ、
をさらに含む、請求項９のシステム。
＜請求項３７＞
ヒートシンクをさらに含み、前記ヒートシンクから複数の熱伝達突起が延び、前記ヒートシンクは、前記少なくとも１つのペルティエデバイスへ熱伝導的に連結される、
請求項９のシステム。
＜請求項３８＞
前記ハウジングによって収容されたマイクロコントローラと、
電流を第１の電圧で前記マイクロコントローラへ供給するように連結された第１の段及び電流を前記第１の電圧と異なる第２の電圧で前記少なくとも１つのペルティエデバイスへ供給するように連結された第２の段を含む電源サブシステムと、
をさらに含む、請求項９のシステム。
＜請求項３９＞
前記ハウジングによって収容され、携帯型の通信デバイス又はメディアプレーヤのうち少なくとも１つとの通信を提供するように動作可能なであるトランシーバ、
をさらに含む、請求項９のシステム。
＜請求項４０＞
前記ハウジング又はペンダントのうち少なくとも１つによって収容されかつ複数のスピーカーとの通信を提供するように動作可能であるトランスミッタ、
をさらに含む、請求項９のシステム。
＜請求項４１＞
香りを送達させるようにシステムを動作させる方法であって、
複数の消費可能な香り媒体を担持する香り媒体キャリアを取り外し可能に受容するレシーバーに少なくとも近接して配置された少なくとも１つのペルティエデバイスを制御サブシステムにより選択的に起動させて、前記香り媒体キャリアが前記レシーバーによって受容されている間に前記香り媒体キャリアの前記消費可能な香り媒体のうち選択されたものを能動的に加熱することと、
前記複数の消費可能な香り媒体を担持する香り媒体キャリアを取り外し可能に受容する前記レシーバーに少なくとも近接するように配置される少なくとも１つのペルティエデバイスを前記制御サブシステムにより選択的に起動させて、前記香り媒体キャリアが前記レシーバーによって受容されている間に前記香り媒体キャリアの前記消費可能な香り媒体を能動的に冷却することと、
を含む、方法。
＜請求項４２＞
少なくとも前記少なくとも１つのペルティエデバイスを収容するハウジングの外方に香りを移動させるように第１のファンを前記制御サブシステムにより動作させること、
をさらに含む、請求項４１の方法。
＜請求項４３＞
前記ハウジングへ香りを内方に引き戻すように第２のファンを前記制御サブシステムにより動作させること、
をさらに含む、請求項４２の方法。
＜請求項４４＞
香り混合チャンバから構成可能な流体連絡可能な導管経路への香りの移動を制御するように動作可能な第１の弁を前記制御サブシステムにより選択的に動作させることと、
前記構成可能な流体連絡可能な導管経路からフィルターチャンバへの香りの移動を制御するように動作可能な第２の弁を前記制御サブシステムにより選択的に動作させることと、
をさらに含む、請求項４３の方法。
＜請求項４５＞
香り混合チャンバと使用時に香りを香り送達導管からユーザへ放出する香りポートとの間の流体連絡を提供する前記香り送達導管を介して前記ハウジングの前記香り混合チャンバを前記香りポートへ流体連絡可能に連結すること、
をさらに含む、請求項４１の方法。
＜請求項４６＞
前記香りポートとフィルターチャンバとの間に流体連絡を提供する香り返送導管を介して前記香りポートを前記ハウジングの前記フィルターチャンバへ流体連絡可能に連結すること、
をさらに含む、請求項４５の方法。
＜請求項４７＞
前記香り送達及び前記香り返送導管は、香り循環ループの少なくとも一部を形成し、
前記香りポートを介した香りの移動を制御するように前記香り循環ループ内の香りポート弁を制御サブシステムにより選択的に制御すること、
をさらに含む、請求項４６の方法。
＜請求項４８＞
携帯型の通信デバイス又はメディアプレーヤと前記システムの前記制御サブシステムとの間で信号を送るように、前記システムの前記制御サブシステムを前記携帯型の通信デバイス又は前記メディアプレーヤのうち少なくとも１つへ通信可能に連結すること、
をさらに含む、請求項４１の方法。
＜請求項４９＞
携帯型の通信デバイス又はメディアプレーヤと前記システムの前記制御サブシステムとの間に音声的信号を送るように、前記システムの前記制御サブシステムを前記携帯型の通信デバイス又は前記メディアプレーヤのうち少なくとも１つへ有線又は無線で通信可能に連結すること、
をさらに含む、請求項４１の方法。
＜請求項５０＞
前記システムの駆動ユニットの少なくとも一部の位置又は方位のうち少なくとも１つに少なくとも部分的に応答して前記少なくとも１つのペルティエデバイスの動作を前記制御サブシステムにより制御すること、
をさらに含む、請求項４１の方法。
＜請求項５１＞
前記システムの駆動ユニットの少なくとも一部へのヒトのタッチを感知することと、
ヒトのタッチに少なくとも部分的に応答して前記少なくとも１つのペルティエデバイス又は少なくとも１つのファンのうち少なくとも１つを前記制御サブシステムにより制御すること、
をさらに含む、請求項４１の方法。
＜請求項５２＞
前記システムの駆動ユニットの少なくとも一部の動きを感知することと、
前記駆動ユニットの前記少なくとも一部の前記感知された動きに少なくとも部分的に応答して前記少なくとも１つのペルティエデバイス又は少なくとも１つのファンのうち少なくとも１つを前記制御サブシステムにより制御することと、
をさらに含む、請求項４１の方法。
＜請求項５３＞
ペンダントの第２の部位の前記ペンダントの第１の部位に対する位置又は方位のうち少なくとも１つに少なくとも部分的に応答して前記少なくとも１つのペルティエデバイスの動作を前記制御サブシステムにより制御すること、
をさらに含む、請求項４１の方法。
＜請求項５４＞
ペンダントの第２の部位の前記ペンダントの第１の部位に対する位置又は方位のうち少なくとも１つに少なくとも部分的に応答して前記少なくとも１つのファンの動作を前記制御サブシステムにより制御すること、
をさらに含む、請求項４１の方法。
＜請求項５５＞
ペンダントの少なくとも一部へのヒトのタッチを感知することと、
前記ペンダントへのヒトのタッチに少なくとも部分的に応答して前記少なくとも１つのペルティエデバイス又は少なくとも１つのファンのうち少なくとも１つを前記制御サブシステムにより制御すること、
をさらに含む、請求項５１の方法。
＜請求項５６＞
ペンダントの動きを感知することと、
前記ペンダントの前記動きに少なくとも部分的に応答して前記少なくとも１つのペルティエデバイス又は少なくとも１つのファンのうち少なくとも１つを前記制御サブシステムにより制御することと、
をさらに含む、請求項５１の方法。
＜請求項５７＞
前記システムが通信可能に連結された携帯型の通信デバイスのディスプレイ又はメディアプレーヤ上に表示された画像又は情報のうち少なくとも１つに少なくとも部分的に基づいて、前記少なくとも１つのペルティエデバイス又は前記少なくとも１つのファンのうち少なくとも１つの動作を前記制御サブシステムにより制御すること、
をさらに含む、請求項４１の方法。
＜請求項５８＞
前記システムが通信可能に連結された携帯型の通信デバイスのディスプレイ又はメディアプレーヤ上に表示されたユーザが選択可能なアイコン又は情報のユーザの選択に少なくとも部分的に基づいて、前記少なくとも１つのペルティエデバイス又は前記少なくとも１つのファンのうち少なくとも１つの動作を前記制御サブシステムにより制御すること、
をさらに含む、請求項４１の方法。
＜請求項５９＞
前記システムが通信可能に連結された携帯型の通信デバイス又はメディアプレーヤの画像センサーによって取得された画像に少なくとも部分的に基づいて、前記少なくとも１つのペルティエデバイス又は前記少なくとも１つのファンのうち少なくとも１つの動作を前記制御サブシステムにより制御すること、
をさらに含む、請求項４１の方法。
＜請求項６０＞
香りを送達するように動作可能なシステムであって、前記システムは、
少なくとも香り生成チャンバ及びフィルターチャンバを有するハウジングであって、前記香り生成チャンバは、複数の消費可能な香り媒体を担持する香り媒体キャリアを取り外し可能に受容するようなサイズ及び寸法にされ、前記フィルターチャンバは、フィルター媒体を保持するようなサイズ及び寸法にされる、ハウジングと、
前記香り生成チャンバ中への各香りの放出を複数の香り媒体の対応するものにより引き起きさせるように選択的に動作可能な香りアクチュエータと、
構成可能な流体循環経路であって、前記構成可能な流体循環経路は、
構成可能な流体連絡可能な導管経路として流体連絡可能に連結された複数の導管と、
前記香り生成チャンバから前記構成可能な流体連絡可能な導管経路の一部への香りの移動を制御するように選択的に動作可能な入口弁と、
前記ハウジング内に配置され、前記構成可能な流体連絡可能な導管経路の一部から前記フィルターチャンバへの香りの移動を制御するように選択的に動作可能な出口弁と、
使用時において前記構成可能な流体循環経路から香りをユーザへ放出する香りポートと、
を含む構成可能な流体循環経路と、
を含む、システム。
＜請求項６１＞
前記構成可能な流体連絡可能な導管経路として流体連絡可能に連結された前記複数の導管は、
前記香り生成チャンバと前記香りポートとの間に第１の流体連絡経路を提供する送達導管と、
前記香りポートと前記フィルターチャンバとの間に第２の流体連絡経路を提供する返送導管と、
を含む、請求項６０のシステム。
＜請求項６２＞
香りを前記香り混合チャンバから前記構成可能な流体循環経路内に移動させるように配置され、選択的に動作可能な第１のファン、
をさらに含む、請求項６１のシステム。
＜請求項６３＞
前記香りポータルの上流側の前記構成可能な流体循環経路中の圧力に対してより低い圧力を前記香りポータルの下流側の前記構成可能な流体循環経路中に生成するように配置され、選択的に動作可能な第２のファン、
をさらに含む、請求項６２のシステム。
＜請求項６４＞
制御サブシステムであって、前記制御サブシステムは、前記制御サブシステムは、少なくとも１つのユーザ入力に応答して前記第１の又は前記第２のファンのうち少なくとも１つの動作を制御するように、通信可能に連結される、制御サブシステム、
をさらに含む、請求項６３のシステム。
＜請求項６５＞
前記制御サブシステムは、前記少なくとも１つのユーザ入力に応答して、前記ハウジング中に収容された少なくとも１つのペルティエデバイスをさらに起動させる、
請求項６４のシステム。
＜請求項６６＞
前記香りポートを有するペンダント
をさらに含む、請求項６５のシステム。
＜請求項６７＞
前記ペンダントは、少なくとも第１の部位及び第２の部位を含み、前記第２の部位は、前記第１の部位に対して回転するように前記第１の部位に枢動可能に取り付けられ、前記制御サブシステムは、前記ハウジングの前記第１の部位に対する前記ハウジングの前記第２の部位の方位に応答して、前記第１の又は前記第２のファンのうち少なくとも１つを起動させる、
請求項６６のシステム。
＜請求項６８＞
前記ハウジングから前記香りポートへ走る第１のケーブルをさらに含み、前記第１のケーブルは、前記香りチャンバと前記香りポートとの間に流体連絡を提供する香り送達導管を少なくとも含み、前記香り送達導管は、前記構成可能な流体循環経路の少なくとも一部を形成する、
請求項６６のシステム。
＜請求項６９＞
前記構成可能な流体循環経路は、
前記香りポートを介した香りの移動を制御するように選択的に動作可能な香りポート弁、
を含む、請求項６１のシステム。
＜請求項７０＞
前記構成可能な流体循環経路は、
前記返送導管から前記流体連絡可能な導管経路の前記送達導管への香りの移動を調節するように選択的に動作可能な中間弁、
を含む、請求項６１のシステム。
＜請求項７１＞
構成可能な流体連絡可能な導管経路として流体連絡可能に連結された前記複数の導管は、前記ハウジングの内面により形成される、
請求項６２のシステム。
＜請求項７２＞
構成可能な流体連絡可能な導管経路として流体連絡可能に連結された前記複数の導管は、前記ハウジングの少なくとも１つの内面によって形成され、前記少なくとも１つの内面は、乱流を誘発するための粗い表面を持つ、
請求項７１のシステム。
＜請求項７３＞
少なくとも香り生成チャンバ及びフィルターチャンバを有するハウジングを含む香り送達システムにおける動作の方法であって、前記香り生成チャンバは、複数の消費可能な香り媒体を担持する香り媒体キャリアを取り外し可能に受容するようなサイズ及び寸法にされ、前記フィルターチャンバは、フィルター媒体を保持するようなサイズ及び寸法にされ、前記方法は、
複数の香り媒体のうちそれぞれによる前記香り生成チャンバ中への各香りの放出を選択的に引き起こさせるように香りアクチュエータを制御サブシステムによって動作させることと、
香り生成チャンバから前記構成可能な流体連絡可能な導管経路の一部への香りの移動を選択的に制御するように、入口弁を前記制御サブシステムにより動作させることと、
前記構成可能な流体連絡可能な導管経路の一部からフィルターチャンバへの香りの移動を選択的に制御するように、出口弁を前記制御サブシステムにより動作させることと、
前記構成可能な流体循環経路から香りポートを介してユーザへ香りを放出させることと、
を含む、方法。
＜請求項７４＞
香り生成チャンバから前記構成可能な流体連絡可能な導管経路の一部への香りの移動を選択的に制御するように、入口弁を前記制御サブシステムにより動作させることは、前記香り生成チャンバと前記香りポートとの間に第１の流体連絡経路を提供する送達導管を介した香りの移動を選択的に制御するように前記入口弁を動作させることを含み、前記構成可能な流体連絡可能な導管経路の一部からフィルターチャンバへの香りの移動を選択的に制御するように、出口弁を前記制御サブシステムにより動作させることは、前記香りポートと前記フィルターチャンバとの間に第２の流体連絡経路を提供する返送導管を介して香りの移動を選択的に制御するように前記出口弁を動作させることを含む、
請求項７３の方法。
＜請求項７５＞
香りを前記香り混合チャンバから前記構成可能な流体循環経路中へ移動させるように第１のファンを動作させること、
をさらに含む、請求項７３の方法。
＜請求項７６＞
前記香りポータルの上流側の前記構成可能な流体循環経路中の圧力に対してより低い圧力を前記香りポータルの下流側の前記構成可能な流体循環経路中に生成するように第２のファンを動作させること、
をさらに含む、請求項７５の方法。
＜請求項７７＞
前記第１の及び前記第２のファンは、少なくとも部分的に同時に動作させられる、
請求項７６の方法。
＜請求項７８＞
ユーザ入力を示す少なくとも１つの信号を前記制御サブシステムにより受信することと、
前記ユーザ入力に応答して前記第１の又は前記第２のファンのうち少なくとも１つの動作を制御することと、
をさらに含む、請求項７７の方法。
＜請求項７９＞
前記香りアクチュエータは、少なくとも１つのペルティエデバイスを含み、
ユーザ入力を示す少なくとも１つの信号を前記制御サブシステムにより受信することと、
前記ユーザ入力に応答して少なくとも１つのペルティエデバイスの動作を制御することと、
をさらに含む、請求項７３の方法。
＜請求項８０＞
前記香り送達システムは前記香りポートを有するペンダントを含み、ユーザ入力を示す少なくとも１つの信号を前記制御サブシステムにより受信することは、前記ユーザ入力を示す少なくとも１つの信号を前記ペンダントから受信することを含む、
請求項７８又は７９の方法。
＜請求項８１＞
前記香りポートを介した香りの移動を選択的に制御するように香りポート弁を動作させること、
をさらに含む、求項７４の方法。
＜請求項８２＞
前記返送導管から前記流体連絡可能な導管経路の前記送達導管への香りの移動を選択的に調節するように中間弁を動作させること、
をさらに含む、請求項７４の方法。
＜請求項８３＞
システムであって、
ハウジングと、
前記ハウジング内に少なくとも部分的に収容されたレシーバーであって、前記レシーバーは、複数の消費可能な香り媒体を担持する香り媒体キャリアを取り外し可能に受容するようなサイズ及び寸法にされる、レシーバーと、
前記消費可能な香り媒体のうちの対応するものによる対応する香りの放出を引き起こすように選択的に動作可能な香りアクチュエータと、
第１の部位及び第２の部位を有するユーザ入力要素であって、前記第２の部位は前記第１の部位に対して移動可能である、ユーザ入力要素と、
制御サブシステムであって、前記制御サブシステムは、前記香り起動デバイスを制御するように通信可能に連結され、前記制御サブシステムは、前記ユーザ入力要素の前記第１の部位に対する前記ユーザ入力要素の前記第２の部位の位置又は方位のうち少なくとも１つに対して少なくとも部分的に応答性である、制御サブシステムと、
を含む、システム。
＜請求項８４＞
前記第２の部位は、前記第１の部位に対して回転するように前記第１の部位に枢動可能に取り付けられる、
請求項８３のシステム。
＜請求項８５＞
前記ユーザ入力要素は、ペンダントの形態をとる、
請求項８３又は８４のシステム。
＜請求項８６＞
前記ハウジングから香りポートへ走る第１のケーブルであって、前記第１のケーブルは、前記ハウジングと使用時において香りを香り送達導管からユーザへ放出する前記香りポートとの間の流体連絡を提供する前記香り送達導管を少なくとも含む、第１のケーブル、
をさらに含む、請求項８３のシステム。
＜請求項８７＞
前記第１のケーブルは、前記香りポートと前記ハウジングとの間に流体連絡を提供する香り返送導管を少なくともさらに含む、
請求項８６のシステム。
＜請求項８８＞
前記香り送達及び前記香り返送導管はそれぞれ、内径がおよそ１５ミリメートルである延伸ネオプレン管材のピースである、
請求項８７のシステム。
＜請求項８９＞
前記香り送達及び前記香り返送導管は、香り循環ループを形成し、
前記香り循環ループ内の弁であって、前記弁は、前記香りポートを介した香りの移動を制御するように選択的に動作可能である、弁、
をさらに含む、請求項８７のシステム。
＜請求項９０＞
制御サブシステムと、
携帯型の通信デバイス又はメディアプレーヤと前記システムの前記制御サブシステムとの間で信号を送るように、前記携帯型の通信デバイス又は前記メディアプレーヤのうち少なくとも１つへ通信可能に連結可能である第２のケーブルと、
をさらに含む、請求項８７のシステム。
＜請求項９１＞
前記第１のケーブルは、前記携帯型の通信デバイス又は前記メディアプレーヤから信号を前記システムを通じて複数のスピーカーへ送るための複数のワイヤを含む、
請求項９０のシステム。
＜請求項９２＞
前記香りアクチュエータは、少なくとも１つのペルティエデバイスを含む、
請求項８３のシステム。
＜請求項９３＞
システムであって、
香り媒体キャリアを取り外し可能に受容するようなサイズ及び寸法にされたレシーバーであって、前記香り媒体キャリアはそれぞれ、前記各香り媒体キャリア上の複数の規定された空間位置に配置された複数の消費可能な香り媒体を担持する、レシーバーと、
前記香り媒体キャリアが前記レシーバーによって受容されている間に、前記香り媒体キャリアのうち１つによって担持される前記香り媒体のうちの対応するものによる対応する香りの放出を引き起こさせるように選択的に動作可能な香りアクチュエータと、
どの特定の香り媒体が前記香り媒体キャリアのうちのどの特定のものに担持されているかに関係無く、香り媒体のうちの対応するものを一般的に指定する一般的値の時間的シーケンスを指定する香り起動情報の組に少なくとも部分的に応答して前記香りアクチュエータを制御するように、通信可能に連結された制御サブシステムと、
を含む、システム。
＜請求項９４＞
前記香り起動情報の組は、前記一般的値それぞれについて開始時間及び終了時間又は持続時間のうち少なくとも１つを指定し、前記制御サブシステムは、前記一般的値それぞれについての前記開始時間及び前記終了時間又は持続時間のうち少なくとも１つに少なくとも部分的に応答して前記香りアクチュエータを制御するように、通信可能に連結される、
請求項９３のシステム。
＜請求項９５＞
前記一般的値は、前記各香り媒体キャリア上の前記香り媒体の相対的位置を指定し、前記制御システムは、前記香り媒体キャリアに対する前記ペルティエデバイスの各位置に基づいて、複数のペルティエデバイスのうち選択されたものを起動させる、
請求項９３のシステム。
＜請求項９６＞
前記一般的値は、音楽特性を指定する、
請求項８３のシステム。
＜請求項９７＞
前記制御システムは、音楽中の音楽特性を検出し、複数のペルティエデバイスのうち選択されたものの起動を、前記香り起動情報の組によって指定された対応する前記音楽特性と同期させる、
請求項８５のシステム。
＜請求項９８＞
前記一般的値は、感情状態を指定する、
請求項９３のシステム。
＜請求項９９＞
前記香り起動情報の組が遠隔デバイスから受信される際に経由される少なくとも１つの通信ポート、
をさらに含む、請求項９３のシステム。
＜請求項１００＞
前記香り起動情報の組は、楽器デジタルインターフェースファイルとしてフォーマットされる、
請求項９３のシステム。
＜請求項１０１＞
システムであって、
少なくとも１つのプロセッサと、
プロセッサが実行可能な命令又はデータのうち少なくとも１つを保存する少なくとも１つの非一時的プロセッサにより読み出し可能な媒体であって、前記命令又はデータが実行されると、前記少なくとも１つのプロセッサが、どの特定の香り媒体が前記香り媒体キャリアのうちの任意の特定のものに担持されているかに関係無く、香り媒体のうちの対応するものを一般的に指定する一般的値の時間的なシーケンスを指定する香り起動情報の組を標準的フォーマットで生成するようにユーザが操作可能なユーザインターフェースをユーザに提示する、少なくとも１つの非一時的プロセッサにより読み出し可能な媒体と、
を含む、システム。
＜請求項１０２＞
前記香り起動情報の組は、前記一般的値それぞれについて開始時間及び終了時間又は持続時間のうち少なくとも１つを指定する、
請求項１０１のシステム。
＜請求項１０３＞
前記一般的値は、前記各香り媒体キャリア上の前記香り媒体の相対的位置を指定する、
請求項１０１のシステム。
＜請求項１０４＞
前記一般的値は、音楽特性を指定する、
請求項１０１のシステム。
＜請求項１０５＞
前記香り起動情報の組は、香り送達を少なくとも１つの音楽の曲と同期させるための同期情報を指定する、
請求項１０４のシステム。
＜請求項１０６＞
前記一般的値は、感情状態を指定する、
請求項１０１のシステム。
＜請求項１０７＞
前記香り起動情報の組を遠隔的に香り送達システムへ提供すること、
をさらに含む、請求項１０１のシステム。
＜請求項１０８＞
前記香り起動情報の組は、楽器デジタルインターフェースファイル（ＭＩＤＩ）としてフォーマットされる、
請求項１０１のシステム。
＜請求項１０９＞
香りカートリッジであって、
基板と、
前記基板によって担持される複数の温度活性化香り媒体であって、前記温度活性化香り媒体はそれぞれ、各香りを放出し、前記各香りの放出を停止するように選択的に活性化可能であり、前記温度活性化香り媒体のうち少なくとも２つによって放出される前記香りは相互に異なる、複数の温度活性化香り媒体と、
少なくとも１つのアライメント構造であって、前記香りカートリッジは、ハウジング内に少なくとも部分的に受容されるようなサイズにされ、前記アライメント構造は、前記温度活性化香り媒体を前記ハウジング内の活性化要素の組に対して規定された位置又は方位に少なくとも配置又は方位付けるように、前記ハウジングの相補的アライメント構造と協動的に連携する、少なくとも１つのアライメント構造と、
を含む、香りカートリッジ。
＜請求項１１０＞
前記温度活性化香り媒体は、前記基板の前記平坦表面上に空間的に分配される、
請求項１０９の香りカートリッジ。
＜請求項１１１＞
前記温度活性化香り媒体は、前記基板の平坦表面上の平面に載置される、
請求項１１０の香りカートリッジ。
＜請求項１１２＞
前記温度活性化香り媒体は、前記活性化要素の組のうちの対応する１つの前記活性化要素に熱伝導的に連結するように配置された前記基板の平坦表面上に空間的に分配される、
請求項１１１の香りカートリッジ。
＜請求項１１３＞
前記温度活性化香り媒体のうちの少なくともいくつかと物理的接触した金属箔であって、前記金属箔は、前記香りカートリッジが前記ハウジング内に少なくとも部分的に受容されたときに前記温度活性化香り媒体を前記活性化要素の対応するものに熱伝導的に連結させる、金属箔、
をさらに含む、請求項１１２の香りカートリッジ。
＜請求項１１４＞
前記活性化香り媒体のうち少なくとも４つは、前記基板の平坦表面上において行及び列の順序付けられた配列で空間的に分配され、前記温度活性化香り媒体それぞれから放出可能な各香りは、相互に異なる、
請求項１１１の香りカートリッジ。
＜請求項１１５＞
前記温度活性化香り媒体はそれぞれ主軸を有し、前記温度活性化香り媒体は、前記各主軸を前記基板の前記平坦平面に対して垂直に延在させた状態で配列される、
請求項１１０の香りカートリッジ。
＜請求項１１６＞
前記温度活性化香り媒体は、前記活性化要素の組の前記活性化要素の対応するものに熱伝導的に連結するように配置された前記基板の平坦表面上に、空間的に分配される、
請求項１１５の香りカートリッジ。
＜請求項１１７＞
前記温度活性化香り媒体のうち少なくともいくつかと物理的接触する金属箔であって、前記金属箔は、前記香りカートリッジが前記ハウジング内に少なくとも部分的に受容されたときに、前記温度活性化香り媒体を前記活性化要素の対応するものに熱伝導的に連結させる、金属箔、
をさらに含む、請求項１１６の香りカートリッジ。
＜請求項１１８＞
前記温度活性化香り媒体のうち少なくとも４つは、前記基板の平坦表面の周辺において空間的に周囲方向に配列される、
請求項１１５の香りカートリッジ。
＜請求項１１９＞
前記基板は円形であり、前記基板の中心の周囲に９０度の間隔を空けて空間的に周囲方向に配列された前記温度活性化香り媒体が４つある、
請求項１１５の香りカートリッジ。
＜請求項１２０＞
前記温度活性化香り媒体それぞれに重ねられた各金属箔片であって、前記金属箔片はそれぞれ、前記金属箔が重ねられた対応する温度活性化香り媒体に対して半径方向に内方に間隔を空けて配置される、金属箔のピース、
をさらに含む、請求項１０９の香りカートリッジ。
＜請求項１２１＞
前記温度活性化香り媒体のうち少なくともいくつかに重ねられる金属箔、
をさらに含む、請求項１０９の香りカートリッジ。
＜請求項１２２＞
前記温度活性化香り媒体は、各揮発性、親油性又はオイルベースの香り物質で含浸されたワックスの形態をとる、
請求項１０９の香りカートリッジ。
＜請求項１２３＞
前記基板は、プラグの少なくとも一部を形成し、
前記香りカートリッジを前記ハウジング内に解放可能に固定するための固定構造をさらに含む、
請求項１０９の香りカートリッジ。
＜請求項１２４＞
香り経験を香り送達デバイスを介して提供するために用いられる物品であって、前記物品は、
複数の香り媒体の少なくともいくつかのそれぞれについての活性化の持続時間を示す情報を含めて、香りトラックを前記複数の香り媒体の前記少なくともいくつかそれぞれについての活性化のシーケンスの形態で指定する、プロセッサで実行可能な命令を保存する非一時的プロセッサで読み出し可能な媒体、
を含む、物品。
＜請求項１２５＞
前記香りトラックは、前記複数の香り媒体の前記少なくともいくつかそれぞれについての開始時間を示す情報を含む、
請求項１２４の物品。
＜請求項１２６＞
前記香りトラックは、前記複数の香り媒体の前記少なくともいくつかそれぞれについての完了時間を示す情報を含む、
請求項１２５の物品。
＜請求項１２７＞
前記香りトラックは、前記各香り媒体を活性化させるべき開始時間後の期間を示す情報を含む、
請求項１２５の物品。
＜請求項１２８＞
前記香りトラックは、それぞれの前記開始時間からのオフセットとして指定された、前記複数の香り媒体の前記少なくともいくつかのそれぞれについての完了時間を示す情報を含む、
請求項１２５の物品。
＜請求項１２９＞
前記香りトラックは、前記複数の香り媒体の前記少なくともいくつかのそれぞれについてクールダウン期間を指定する情報を含む、
請求項１２５の物品。
＜請求項１３０＞
前記香りトラックは、前記複数の香り媒体の前記少なくともいくつかのそれぞれについて、前記各香り媒体を能動的に冷却する能動的なクールダウン期間を指定する情報を含む、
請求項１２５の物品。
＜請求項１３１＞
前記香りトラックは、音声的又はビデオ提示の少なくとも１つにおける移行を香りのクラスへ一般的にマップする情報を含む、
請求項１２５の物品。
＜請求項１３２＞
前記香りトラックは、香りのクラスを指定する情報を含み、前記香りのクラスは、特定の香りではなく前記基板上の香り媒体の位置へマップされる、
請求項１２５の物品。
＜請求項１３３＞
前記香りトラックは、特定の香りではなく前記基板上の香り媒体の位置を指定する情報を含む、
請求項１２５の物品。